(57)【特許請求の範囲】
【請求項１】
室内空間を区画する壁部と、
前記壁部内に配設され、電力の供給先を制御する制御手段と接続された電子機器と、
前記壁部に軸支されて当該壁部に形成され電子機器と対向する位置に設けられた開口部を開閉し、当該壁部から突出する方向へ回動して当該開口部を開放し前記電子機器を露出させる開閉扉と、
を備え、
前記制御手段に電力の使用状況が表示されるモニタが備わり、前記モニタが取り付けられた壁部が前記電子機器が配設された壁部と異なっており、天井裏を通じて当該モニタと電子機器とが接続されている電子機器配設構造。
【請求項２】
前記電子機器は、前記壁部の一部を構成する壁材の表面に取り付けられた板材を介して前記壁材に取り付けられている請求項１に記載の電子機器配設構造。
【請求項３】
前記電子機器は、前記開閉扉の裏面に設けられている請求項１に記載の電子機器配設構造。
【請求項４】
前記開閉扉の下部には、当該開閉扉を鉛直方向に沿って回動させる軸部が設けられている請求項１〜３の何れか１項に記載の電子機器配設構造。
【発明の詳細な説明】
【技術分野】
【０００１】
本発明は、建物内に設けられた電子機器配設構造に関する。
【背景技術】
【０００２】
特許文献１に記載の発明では、パチンコ機の外枠に対して回動可能に軸支された前面枠の裏面側にはリヤプレートが設けられており、当該リヤプレートには、制御装置を収納する回路ボックス、入賞装置に対応する流路を形成した入賞球集合カバーが配設されている。そして、これらの部材はリヤカバーによって覆われるようになっている。このリヤカバーには回路ボックス及び入賞球集合カバーに対応する位置に開口窓が形成されており、当該開口窓には蓋部材が着脱可能に装着されている。この蓋部材を取り外すことによって、回路ボックス及び入賞球集合カバーが外部へ露出するようになっている。
【先行技術文献】
【特許文献】
【０００３】
【特許文献１】特開平６−７５１５号公報
【発明の概要】
【発明が解決しようとする課題】
【０００４】
上記のように、この先行技術では、外枠に対して回動可能に軸支された前面枠に設けられたリヤプレートに回路ボックスが設けられているため、通常時はパチンコ機の裏側に回路ボックスは位置し、当該回路ボックスの点検の際、前面枠を回動させることによってパチンコ機の表側に露出することになる。
【０００５】
本発明は、上記事実を考慮して成されたもので、デッドスペースに電子機器を配設すると共に、当該電子機器の点検を可能にする電子機器配設構造を得ることを目的とする。
【課題を解決するための手段】
【０００６】
上記目的を達成するために、請求項１に記載の発明に係る電子機器配設構造は、室内空間を区画する壁部と、前記壁部内に配設され、電力の供給先を制御する制御手段と接続された電子機器と、前記壁部に軸支されて当該壁部に形成され電子機器と対向する位置に設けられた開口部を開閉し、当該壁部から突出する方向へ回動して当該開口部を開放し前記電子機器を露出させる開閉扉と、を備え、前記制御手段に電力の使用状況が表示されるモニタが備わり、前記モニタが取り付けられた壁部が前記電子機器が配設された壁部と異なっており、天井裏を通じて当該モニタと電子機器とが接続されている。
【０００７】
請求項１に記載の発明に係る電子機器配設構造では、電力の供給先を制御する制御手段と接続された電子機器が室内空間を区画する壁部内に設けられている。一般的に、壁部内には中空部が設けられており、当該中空部によって通気性が得られるようになっている。このため、壁部内に電子機器が配設されたとしても、当該電子機器の作動によって生じる熱を放熱することができる。
【０００８】
また、壁部には電子機器と対向する位置に設けられた開口部が形成されている。この開口部は、壁部に軸支された開閉扉によって水平方向及び鉛直方向に沿って開閉可能とされており、開閉扉が壁部から突出する方向へ回動すると当該開口部が開放され電子機器が露出する。これにより、電子機器の点検（メンテナンス）等が可能となる。
【０００９】
一般的に、電力の供給先を制御する制御手段と接続された電子機器、特に拡張ＥＣＵは室内に配置される場合が多い。しかし、この拡張ＥＣＵは設置時及び点検時に調整等を行うものである。つまり、拡張ＥＣＵは年に数回しか調整しないにも拘わらず、当該拡張ＥＣＵが室内に配置されていると邪魔であり、意匠上も好ましくない。このため、本発明では、電子機器が壁部内に設けられ、通常は見えないようになっている。そして、必要なときだけ、開閉扉を開放させて当該電子機器を露出させるようにしている。
【００１０】
また、本発明では、開閉扉は壁部に軸支され、当該壁部から突出する方向へ回動して開口部が開放されるようにしている。例えば、電子機器が天井裏に配設された場合、一般的には、天井には電子機器の近傍に開口穴が形成され、当該開口穴を塞ぐ蓋体を持ち上げて開口穴を開放させるが、開口穴を塞ぐ際の蓋体の位置決めが面倒である。しかし、本発明では、開閉扉は壁部に軸支されているため、軸部を中心にして開閉扉を回動させるだけで壁部の開口部を塞ぐことができるため、作業性が良い。
さらに、本発明では、制御手段に電力の使用状況が表示されるモニタが備わり、当該モニタと電子機器とが天井裏を通じて接続されるようになっている。このため、電子機器の配線を複数本単位でスッキリとまとめることができ、電子機器の点検時に配線が邪魔にならないようにすることができる。
【００１１】
なお、ここでの「室内空間」とは建物内の空間を指しており、部屋に限るものではなく、例えば、押入れや階段下の空間であっても良い。
【００１２】
請求項２に記載の発明に係る電子機器配設構造は、請求項１に記載の電子機器配設構造において、前記電子機器は、前記壁部の一部を構成する壁材の表面に取り付けられた板材を介して前記壁材に取り付けられている。
【００１３】
電子機器はビスなどによって壁部の一部を構成する壁材に取付けられるが、当該電子機器を直接壁材に取り付ける場合、ビスが壁材を打ち抜いてしまう可能性がある。このため、請求項２に記載の発明に係る電子機器配設構造では、壁材の表面に板材を取り付け、当該板材を介して電子機器が壁材に取り付けられるようにしている。これにより、ビスの壁材への打ち抜きを防止している。
【００１４】
請求項３に記載の発明に係る電子機器配設構造は、請求項１に記載の電子機器配設構造において、前記電子機器は前記開閉扉の裏面に設けられている。
【００１５】
電力の供給先を制御する制御手段として、住宅内のエネルギの管理や制御を行うＨＥＭＳ（Ｈｏｍｅ  Ｅｎｅｒｇｙ  Ｍａｎａｇｅｍｅｎｔ  Ｓｙｓｔｅｍ）が一例として挙げられるが、当該ＨＥＭＳと接続される拡張ＥＣＵは電子機器としては質量が小さい（数百ｇ）。
【００１６】
このため、請求項３に記載の発明に係る電子機器配設構造では、電子機器が開閉扉の裏面に設けられている。これにより、当該電子機器を点検する際、開閉扉を開放させると当該開閉扉と一体に電子機器が移動し外部に露出することになるので、大変便利である。
【００１７】
請求項４に記載の発明に係る電子機器配設構造は、請求項１〜３の何れか１項に記載の電子機器配設構造において、前記開閉扉の下部には、当該開閉扉を鉛直方向に沿って回動させる軸部が設けられている。
【００１８】
請求項４に記載の発明に係る電子機器配設構造では、開閉扉の下部に軸部が設けられ、当該軸部を中心に開閉扉は鉛直方向に沿って回動する。開閉扉を開放させるときは、当該開閉扉は上から下へ向かって回動することになるため、開閉扉を開放させた状態で自重により当該開閉扉は静止する。つまり、開閉扉が水平方向に沿って回動する場合と比較して、開放された状態で開閉扉が回動するということはなく、作業性が良い。
【発明の効果】
【００２１】
以上説明したように、請求項１記載の本発明に係る電子機器配設構造は、デッドスペースに電子機器を配設すると共に、当該電子機器の点検を容易にする、という優れた効果を有する。
【００２２】
請求項２記載の本発明に係る電子機器配設構造は、壁材をビス等が打ち抜かないように防止することができる、という優れた効果を有する。
【００２３】
請求項３記載の本発明に係る電子機器配設構造は、開閉扉と一体に電子機器が移動し外部に露出するため作業性が向上する、という優れた効果を有する。
【００２４】
請求項４記載の本発明に係る電子機器配設構造は、開放された開閉扉は静止状態が維持されるため作業性が向上する、という優れた効果を有する。
【００２５】
請求項５記載の本発明に係る電子機器配設構造は、配線を配策するため天井裏に形成された貫通孔を介して天井裏と壁部内とが連通されるため、壁部内の通気性がさらに向上する、という優れた効果を有する。
【図面の簡単な説明】
【００２６】
【図１】本実施の形態に係る電子機器配設構造が適用された住宅を示す一部切断斜視図である。
【図２】本実施の形態に係る電子機器配設構造が適用された住宅のＨＥＭＳの構成を示すブロック図である。
【図３】本実施の形態に係る電子機器配設構造を構成する拡張ＥＣＵ及び開閉扉を示す斜視図である。
【図４】本実施の形態に係る電子機器配設構造を構成する拡張ＥＣＵ及び開閉扉を示す、（Ａ）は平面図であり、（Ｂ）は縦断面図である。
【図５】本実施の形態に係る電子機器配設構造を構成する拡張ＥＣＵ及び開閉扉の変形例を示す縦断面図である。
【発明を実施するための形態】
【００２７】
以下、図面を参照して本発明の一実施形態に係る電子機器配設構造について説明する。
（電子機器配設構造の構成）
【００２８】
まず、本実施の形態に係る電子機器配設構造を備えた住宅１０について説明する。図１及び図２に示されるように、この住宅１０は太陽光発電装置１２を備えており、太陽光によって発電された電力を住宅１０で使用可能とされている。太陽光発電装置１２は、パワーコンディショナー１４を含んで構成されており、太陽光発電装置１２によって発電された直流電力がパワーコンディショナー１４によって交流電力に変換されて分電盤１６に供給されることにより、住宅１０に電力が供給される。
【００２９】
また、分電盤１６には、電力会社から供給される系統電力１８、及び太陽光発電装置１２の発電電力の少なくとも一方の電力を蓄電する蓄電池２０が接続されており、太陽光発電装置１２によって発電された電力の他に、系統電力１８や蓄電池２０に蓄電された電力を住宅に供給することが可能とされていると共に、太陽光発電装置１２や系統電力１８によって蓄電池２０を充電することが可能とされている。なお、蓄電池２０は、リチウムイオン電池、鉛電池、ナトリウム電池等の各種蓄電池を適用することができる。
【００３０】
ここで、分電盤１６には、住宅に設けられた住設機器２２や家電機器２４等が接続されている。すなわち、太陽光発電装置１２による発電電力や、系統電力１８、蓄電池２０に蓄電された電力などの電力が分電盤１６を介して住設機器２２や家電機器２４に供給される。
【００３１】
さらに、分電盤１６には、住宅内のエネルギの管理や制御を行う制御手段としてのＨＥＭＳ（Ｈｏｍｅ  Ｅｎｅｒｇｙ  Ｍａｎａｇｅｍｅｎｔ  Ｓｙｓｔｅｍ）２６が接続されている。ＨＥＭＳ２６は、分電盤１６を制御することにより、太陽光発電装置１２の発電電力、蓄電池２０の電力、及び系統電力１８の何れかを住宅１０へ供給するために電力の切換制御等を行う。
【００３２】
蓄電池２０は拡張ＥＣＵ（電子制御ユニット）２８を介してＨＥＭＳ２６に接続されている。拡張ＥＣＵ２８には、ハイブリッド自動車や電気自動車等に搭載された車両用蓄電池３０を充電するための充電スタンド３２が接続されており、分電盤１６から充電スタンド３２に電力を供給して車両用蓄電池３０を充電することが可能とされている。また、本実施形態では、充電スタンド３２は、非常時などの場合には、車両用蓄電池３０から交流に電力を変換して分電盤１６に電力を供給可能とされている。なお、電力の使用状況は、ＨＥＭＳ２６に接続されたモニタ３４によって表示されるようになっている。
【００３３】
ところで、本実施形態では、図３に示されるように、拡張ＥＣＵ２８が、室内空間を区画する壁部３６内に配設されている。なお、ここでの「室内空間」とは住宅１０内の空間を指しており、部屋に限るものではなく、例えば、押入れや階段下の空間であっても良い。
【００３４】
図４（Ａ）に示されるように、壁部３６内には、断面形状が矩形状を成し、高さ方向に沿って配設されたスタッド３８と、断面形状が矩形波形状を成し、壁部３６の水平方向に沿って配設され隣接するスタッド３８間を繋ぐランナー４０と、が配設されている。なお、スタッド３８及びランナー４０については、説明の便宜上、図４（Ａ）以外の図では図示を省略している。
【００３５】
そして、これらのスタッド３８及びランナー４０を介して、図３に示されるように、壁材としての例えば石膏ボード４２、４４が固定されている。このため、石膏ボード４２と石膏ボード４４の間には、部分的に中空部４６が設けられている。
【００３６】
また、石膏ボード４２の裏面側（壁部３６内側）には、木質部材で形成された板材としてのパッキング材４８が接着されており、当該パッキング材４８には、拡張ＥＣＵ２８がビス等の固定部材を介して固定されている。また、石膏ボード４４には拡張ＥＣＵ２８と対向する面に矩形状の開口部５０が形成されている。この開口部５０はアルミニウム製の開閉扉５２によって開閉可能とされており、開閉扉５２が開放された状態で、壁部３６内に配設された拡張ＥＣＵ２８が外部へ露出する（視認可能な状態となる）。つまり、この状態で拡張ＥＣＵ２８の調整等が可能となる。
【００３７】
また、石膏ボード４４における開口部５０の下縁部には軸受部５４が設けられており、開閉扉５２の下部に設けられたピン５６が当該軸受部５４によって軸支されている。これにより、開閉扉５２は鉛直方向に沿って回動可能となっており、壁部３６から突出する方向へ回動して開口部５０が開放されるようになっている。軸受部５４には、図示しないストッパが設けられており、ピン５６に設けられた図示しない当接部が当接可能とされている。そして、開閉扉５２の回動角度が約９０度になると、当接部がストッパに当接して当該開閉扉５２が静止するように設定されている。
【００３８】
一方、図４（Ａ）に示されるように、拡張ＥＣＵ２８の上方側に位置するランナー４０には、高さ方向に沿って貫通孔５８が形成されており、拡張ＥＣＵ２８に接続された配線６０が挿通可能とされている。この配線６０は天井側へ向かって配策されており、図４（Ｂ）に示されるように、天井材６２には貫通孔６４が形成され、当該貫通孔６４内へ挿通されている。つまり、拡張ＥＣＵ２８に接続された配線６０は天井裏６６を配策して、拡張ＥＣＵ２８が配設された壁部３６とは異なる壁部３８の表面に取り付けられたモニタ３４に接続される。
【００３９】
（電子機器配設構造の作用・効果）
次に、本実施の形態に係る電子機器配設構造の作用・効果について説明する。
【００４０】
本実施形態では、図１及び図４（Ａ）、（Ｂ）に示されるように、壁部３６内に拡張ＥＣＵ２８が配設されている。壁部３６内には中空部４６が設けられており、当該中空部４６によって通気性が得られるようになっている。このため、壁部３６内に拡張ＥＣＵ２８が配設されたとしても、当該拡張ＥＣＵ２８の作動によって生じる熱を放熱することができる。
【００４１】
また、壁部３６の一部を構成する石膏ボード４４には、拡張ＥＣＵ２８と対向する位置に設けられた開口部５０が形成されている。この開口部５０は、石膏ボード４４に軸支された開閉扉５２によって鉛直方向に沿って開閉可能とされており、開閉扉５２が石膏ボード４４から突出する方向へ回動すると当該開口部５０が開放され拡張ＥＣＵ２８が外部へ露出する。これにより、拡張ＥＣＵ２８の点検等が可能となる。そして、開閉扉５２の回動角度が約９０度になると、図示しない当接部がストッパに当接して当該開閉扉５２が静止するように設定されている。このため、開放された状態の開閉扉５２を作業台として使用することも可能である。
【００４２】
ところで、一般的に、ＨＥＭＳ２６と接続された拡張ＥＣＵ２８は室内に配置される場合が多い。しかし、この拡張ＥＣＵ２８は設置時及び点検時に調整等を行うものである。つまり、拡張ＥＣＵは年に数回しか調整しないにも拘わらず、当該拡張ＥＣＵ２８が室内に配置されていると邪魔であり、意匠上も好ましくない。このため、本実施形態では、拡張ＥＣＵ２８が壁部３６内に設けられ、通常は見えないようになっている。そして、必要なときだけ、開閉扉５２を開放させて当該拡張ＥＣＵ２８を露出させるようにしている。これにより、拡張ＥＣＵ２８をデッドスペースに配設すると共に、当該拡張ＥＣＵ２８の点検を容易にすることができる。
【００４３】
また、拡張ＥＣＵ２８に接続された配線６０は、天井裏６６を配策して拡張ＥＣＵ２８が配設された壁部３６とは異なる壁部３８の表面側に取り付けられたモニタ３４に接続される。このため、拡張ＥＣＵ２８の配線６０を複数本単位でスッキリとまとめることができ、拡張ＥＣＵ２８の点検時に配線６０が邪魔にならないようにすることができる。そして、配線６０を配策するために、天井裏６６に形成された貫通孔５８を介して天井裏６６と壁部３６内とが連通されるため、壁部３６内の通気性がさらに向上する。なお、モニタ３４が取り付けられた壁部と拡張ＥＣＵ２８が配設された壁部とが同じ場合は、配線６０は天井裏６６を配策しない場合もある。
【００４４】
さらに、例えば、拡張ＥＣＵ２８が天井裏６６に配設された場合、図示はしないが、一般的には、天井には拡張ＥＣＵ２８の近傍に開口穴が形成され、当該開口穴を塞ぐ蓋体を持ち上げて開口穴を開放させる。このため、開口穴を塞ぐ際の蓋体の位置決めが面倒である。しかし、本実施形態では、開閉扉５２は壁部３６に軸支され、当該壁部３６から突出する方向へ回動して開口部５０が開放されるようにしている。これにより、軸受部５４を中心にして開閉扉５２を回動させるだけで、開閉扉５２によって壁部３６の開口部５０を塞ぐことができるため、作業性が良い。
【００４５】
また、一般的に、分電盤１６は壁部の天井側に配設されている。このため、例えば、図示はしないが天井に開口部が設けられた場合、開口部の位置は分電盤１６の高さとは異なってしまう。このため、分電盤１６及び拡張ＥＣＵ２８を点検する際、それぞれの高さに合わせて脚立が必要になる場合がある。しかし、開口部５０の位置を分電盤１６の高さに合わせることによって、同じ高さで作業が行われるため、同じ脚立をそのまま使用することができると共に、作業性も向上する。
【００４６】
また、本実施形態では、拡張ＥＣＵ２８は、石膏ボード４２の裏面側に接着されたパッキング材４８に固定され、これによって、拡張ＥＣＵ２８を石膏ボード４２に固定している。拡張ＥＣＵ２８を直接石膏ボード４２に取り付ける場合、ビス（図示省略）が石膏ボード４２を打ち抜いてしまう可能性がある。このため、パッキング材４８を介して拡張ＥＣＵ２８が石膏ボード４２に取り付けられるようにすることで、ビスの石膏ボード４２への打ち抜きを防止することができる。
【００４７】
（その他の実施形態）
上記の実施形態では、図３に示されるように、石膏ボード４２に拡張ＥＣＵ２８を取り付けるようにしているが、ＨＥＭＳ２６と接続される拡張ＥＣＵ２８は電子機器としては質量が小さい（数百ｇ）。このため、図５に示されるように、開閉扉５２の裏面側に拡張ＥＣＵ２８を取り付けるようにしても良い。但し、この場合も、パッキング材４８を介して拡張ＥＣＵ２８が開閉扉５２に固定されるようにする。このように、開閉扉５２の裏面側に拡張ＥＣＵ２８を取り付けるようにすることで、開閉扉５２を開放させると、当該開閉扉５２と一体に拡張ＥＣＵ２８が移動し外部に露出することになるので、大変便利であり、作業性が向上する。
【００４８】
また、本実施形態では、開閉扉５２は回動角度が約９０度となるように設定されているが、開閉扉５２の回動角度は９０度に限るものでない。例えば、開閉扉５２の回動角度が、１８０度となるように設定されても良い。
【００４９】
なお、本実施形態では、石膏ボード４４に軸受部５４が設けられ、開閉扉５２の下部にピン５６が設けられて、当該ピン５６が軸受部５４によって軸支されて開閉扉５２が石膏ボード４４に対して回動可能となっているが、開閉扉５４が回動可能であれば良い。このため、石膏ボード４４側にピンを設け、開閉扉５４側で当該ピンを軸支するようにしても良い。また、ピンと軸受部以外の構成によって開閉扉５４を回動させるようにしても良い。
【００５０】
さらに、本実施形態では、開閉扉５２の下部が軸支され、開閉扉５２は鉛直方向に沿って回動するように設定されているが、開閉扉５２の側壁が軸支され、開閉扉５２が水平方向に沿って回動するようにしても良い。
【００５１】
また、本実施形態では、太陽光発電装置１２（図１参照）を備えた例を説明するが、これに限るものではなく、例えば、風力、水力、火力等の各種自然エネルギを利用した発電装置を備えるようにしても良いし、燃料電池等の発電装置を備えるようにしても良い。
【００５２】
以上、本発明の一実施形態について説明したが、本発明は、上記に限定されるものでなく、上記以外にも、その主旨を逸脱しない範囲内において種々変形して実施可能であることは勿論である。
【符号の説明】
【００５３】
１０   住宅
２６   ＨＥＭＳ（制御手段）
２８   拡張ＥＣＵ（電子機器）
３４   モニタ
３６   壁部
４８   パッキング材（板材）
５０   開口部
５２   開閉扉
５６   ピン（軸部）
６６   天井裏
【図１】
0005968089.tif 000002
【図２】
0005968089.tif 000003
【図３】
0005968089.tif 000004
【図４】
0005968089.tif 000005
【図５】
0005968089.tif 000006